Podtech/llm-jp-corpus-v4-ja_patent huggingface dataset:
【手続補正書】
【提出日】平成20年5月22日(2008.5.22)
【手続補正１】
【補正対象書類名】特許請求の範囲
【補正対象項目名】全文
【補正方法】変更
【補正の内容】
【特許請求の範囲】
【請求項１】
プレイヤの操作に応じて動作制御される第１のゲームキャラクタおよび第２のゲームキャラクタが登場するゲーム世界におけるゲームを実行するゲーム装置であって、
前記プレイヤの操作に応じて前記第１のゲームキャラクタが前記第２のゲームキャラクタに乗り移っている第１の状態または前記第１のゲームキャラクタが前記第２のゲームキャラクタから離脱している第２の状態を検出する検出手段と、
前記検出手段によって前記第１の状態が検出されている場合と前記第２の状態が検出されている場合とで、前記第１のゲームキャラクタに対しての前記ゲーム世界における時間が経過する速さを変化させる制御手段とを備える、ゲーム装置。
【請求項２】
前記制御手段は、前記検出手段によって前記第１の状態が検出されている場合には、前記第２の状態が検出されている場合と比較して、前記第１のゲームキャラクタに対しての前記ゲーム世界における時間が経過する速さを速くさせる、請求項１に記載のゲーム装置。
【請求項３】
前記制御手段は、前記検出手段によって前記第２の状態が検出された後に、前記第１の状態が検出された場合、前記検出手段によって前記第１の状態が検出されている間は前記第１のゲームキャラクタに対しての前記ゲーム世界における時間が経過する速さを所定の比率で速くさせる、請求項１または２に記載のゲーム装置。
【請求項４】
前記制御手段は、前記検出手段によって前記第２の状態が検出されている場合には、前記第１の状態が検出されている場合と比較して、前記第１のゲームキャラクタに対しての前記ゲーム世界における時間が経過する速さを遅くさせる、請求項１に記載のゲーム装置。
【請求項５】
前記制御手段は、前記検出手段によって前記第１の状態が検出された後に、前記第２の状態が検出された場合、前記検出手段によって前記第２の状態が検出されている間は前記第１のゲームキャラクタに対しての前記ゲーム世界における時間が経過する速さを所定の比率で遅くさせる、請求項１または４に記載のゲーム装置。
【請求項６】
前記制御手段は、前記検出手段によって前記第１の状態が検出されている場合と前記第２の状態が検出されている場合とで、前記第１のゲームキャラクタに対しての前記ゲーム世界における物理法則を変化させる、請求項１ないし５のいずれかに記載のゲーム装置。
【請求項７】
プレイヤの操作に応じて動作制御される第１のゲームキャラクタおよび第２のゲームキャラクタが登場するゲーム世界におけるゲームを実行する装置のコンピュータで実行されるゲームプログラムであって、
前記コンピュータを、
前記プレイヤの操作に応じて前記第１のゲームキャラクタが前記第２のゲームキャラクタに乗り移っている第１の状態または前記第１のゲームキャラクタが前記第２のゲームキャラクタから離脱している第２の状態を検出する検出手段、
前記検出手段によって前記第１の状態が検出されている場合と前記第２の状態が検出されている場合とで、前記第１のゲームキャラクタに対しての前記ゲーム世界における時間が経過する速さを変化させる制御手段として機能させる、ゲームプログラム。
【請求項８】
プレイヤの操作に応じて動作制御される第１のゲームキャラクタおよび第２のゲームキャラクタが登場するゲーム世界におけるゲームを実行する装置としてコンピュータを機能させるためのゲームプログラムを格納した情報記憶媒体であって、
前記ゲームプログラムは、
前記プレイヤの操作に応じて前記第１のゲームキャラクタが前記第２のゲームキャラクタに乗り移っている第１の状態または前記第１のゲームキャラクタが前記第２のゲームキャラクタから離脱している第２の状態を検出する検出手段、
前記検出手段によって前記第１の状態が検出されている場合と前記第２の状態が検出されている場合とで、前記第１のゲームキャラクタに対しての前記ゲーム世界における時間が経過する速さを変化させる制御手段として前記コンピュータを機能させる、情報記憶媒体。
【手続補正２】
【補正対象書類名】明細書
【補正対象項目名】発明の名称
【補正方法】変更
【補正の内容】
【発明の名称】ゲーム装置、ゲームプログラムおよび情報記憶媒体
【手続補正書】
【提出日】平成19年12月26日(2007.12.26)
【手続補正１】
【補正対象書類名】特許請求の範囲
【補正対象項目名】全文
【補正方法】変更
【補正の内容】
【特許請求の範囲】
【請求項１】
身体の空洞部（２）、殊に、血管内に入れることができる、人体での医療用の特徴量を検出するための、少なくとも１つのセンサ（３）と保持装置（４）を有している測定装置において、保持装置（４）が少なくとも第１及び第２の磁気部材（５）を有しており、前記第１及び第２の磁気部材（５）のうち、少なくともひとつはマグネットであり、前記第１及び第２の磁気部材（５）のうち、ひとつは、身体の空洞部（２）の内側に設けられており、もうひとつは、前記身体の空洞部（２）の外側に設けられており、測定装置（１）を前記保持装置（４）によって前記身体の空洞部（２）内に固定することができることを特徴とする測定装置。
【請求項２】
両磁気部材（５）のうちの一方の磁気部材は、マグネットであり、他方の磁気部材は、強磁性材料製の部品から形成されている請求項１記載の測定装置。
【請求項３】
両磁性部材（５）ともマグネットとして構成されている請求項１又は２記載の測定装置。
【請求項４】
センサ（３）が、身体の空洞部（２）の内部に設けられた磁気部材（５）と固定して結合されている請求項１〜３迄の何れか１記載の測定装置。
【請求項５】
身体の空洞部（２）の外側に設けられる磁気部材（５）は、マグネットである請求項１〜４迄の何れか１記載の測定装置。
【請求項６】
マグネットの位置を変えたり、ずらしたりして、身体の空洞部（２）内で、測定装置を移動することができる請求項１〜５迄の何れか１記載の測定装置。
【請求項７】
磁気部材（５）を設けた複数のセンサ（３）を設け、当該センサを、少なくとも１つのマグネットによって身体の空洞部（２）内に位置固定することができる請求項１〜６迄の何れか１記載の測定装置。
【請求項８】
測定装置を、カテーテル等のインプランテーション用器具を用いて、身体の空洞部（２）内に挿入することができる請求項１〜７迄の何れか１記載の測定装置。
【請求項９】
身体の空洞部（２）の外側に設けられる磁気部材（５）は、前記身体の表面又は皮下に設置することができる請求項１〜８迄の何れか１記載の測定装置。
【請求項１０】
測定装置は、フレキシブルな、バイオコンパチブルな材料、例えば、シリコンで、少なくとも部分的に覆われているか、又は、流し込み成型されている請求項１〜９迄の何れか１記載の測定装置。
【請求項１１】
測定装置（１）、及び、例えば、当該測定装置（１）に設けられた電子構成部品には、付加的なコーティングが設けられている請求項１〜１０迄の何れか１記載の測定装置。
【請求項１２】
測定装置に電圧給電部、例えば、バッテリ又は蓄電池が設けられている請求項１〜１１迄の何れか１記載の測定装置。
【請求項１３】
センサ（３）又は各磁気部材（５）のうちの１つの磁気部材の領域内に、センサにより検出されたデータを一時記憶するために、電子メモリ部材（９）が設けられている請求項１〜１２迄の何れか１記載の測定装置。
【請求項１４】
センサ（３）又は各磁気部材（５）のうちの１つの磁気部材の領域内に、検出されたデータを後続処理するために、評価ユニットが設けられている請求項１〜１３迄の何れか１記載の測定装置。
【請求項１５】
圧力、血糖値、ヘモグロビン含有量、酸素及び二酸化炭素分圧及び含有量の各値、及び／又は、身体の空洞部及び／又は当該身体の空洞部内にある媒体の別の重要な値の検出用のセンサ（３）が設けられている請求項１〜１４迄の何れか１記載の測定装置。
【請求項１６】
測定装置には、身体の空洞部（２）内に導入される物質、例えば、薬を収容するために、少なくとも１つの蓄積装置（８）が設けられている請求項１〜１５迄の何れか１記載の測定装置。
【請求項１７】
蓄積装置（８）に、物質を制御して送出するための調量部材が設けられている請求項１６記載の測定装置。
【請求項１８】
測定装置は、調整回路の一部分であり、調量部材は、センサによって検出された測定値に反応して物質を放出する請求項１７記載の測定装置。
【請求項１９】
測定装置に伝送装置（１０）が設けられており、この伝送装置（１０）を用いて、測定装置（１）は、身体の外部に設けられた送信ユニット、受信ユニット、及び、評価ユニットとワイヤレス及び／又はケーブル接続により接続することができる請求項１〜１８迄の何れか１記載の測定装置。
【請求項２０】
伝送装置（１０）は、種々異なった周波数の電磁放射、例えば、可視光を身体の空洞部（２）の内部に導入するための放射出力側を有している請求項１９記載の測定装置。
【請求項２１】
測定装置は、少なくとも１本のガラスファイバケーブル（１１）を介して送信ユニット、受信ユニット及び評価ユニットと接続されている請求項１９又は２０記載の測定装置。
【請求項２２】
測定装置に少なくとも１つの付加的な固定手段、例えば、保持用糸（７）が設けられている請求項１〜２１迄の何れか１記載の測定装置。
【請求項２３】
測定装置は、ステントケージ（１２）に設けられている請求項１〜２２迄の何れか１記載の測定装置。
【請求項２４】
測定装置は、ステントケージ（１２）の格子構造内に統合されている請求項２３記載の測定装置。
【請求項２５】
測定装置は、磁気部材 (5) と結合された複数のセンサを有しており、複数のセンサは、例えば、均等に分布して、ステントケージ (5) の所定の面内に設けられている請求項２２又は２３記載の測定装置。
【手続補正書】
【提出日】平成19年11月30日(2007.11.30)
【手続補正１】
【補正対象書類名】特許請求の範囲
【補正対象項目名】全文
【補正方法】変更
【補正の内容】
【特許請求の範囲】
【請求項１】
アポリポタンパク質Bの直列反復又はその短縮型を含み、前記直列反復又はその短縮型がアポリポタンパク質BのHSPGレセプター結合領域に由来することを特徴とする、ポリペプチド、その誘導体又は類似体。
【請求項２】
ポリペプチド、その誘導体又は類似体が、アポリポタンパク質B LDLレセプター結合ドメインクラスターBに由来する直列反復を含む、請求項1に記載のポリペプチド、その誘導体又は類似体。
【請求項３】
アポB3359-3367の直列反復又はその短縮型を含む請求項1に記載のポリペプチド、その誘導体又は類似体。
【請求項４】
配列番号:1のアミノ酸配列を含む、請求項1に記載のポリペプチド、その誘導体又は類似体。
【請求項５】
第1、第２、第３、第７、第８、第９、第10、第11、第12、第16、第17又は第18番目の残基の少なくとも1つが置換されているか又は欠失している、請求項3または4に記載のポリペプチド、その誘導体又は類似体。
【請求項６】
下記式をもつ請求項1に記載のポリペプチド：
abcRKRxyza'b'c'RKRx'y'z'
式中、
a及びa'は、それぞれ独立に、アルギニン（R）若しくはリジン（K）若しくはヒスチジン（H）のいずれかから選択することができる陽性荷電残基；ロイシン（L）；トリプトファン（W）から選択されるか、又は欠失されてあり；
b及びb'は、それぞれ独立にロイシン（L）；アルギニン（R）；リジン（K）から選択されるか、又は欠失されてあり；
c及びc'は、それぞれ独立に、スレオニン（T）；トリプトファン（W）；又はアルギニン（R）若しくはリジン（K）若しくはヒスチジン（H）から選択することができる陽性荷電残基から選択され；
x及びx'は、それぞれ独立に、グリシン（G）；トリプトファン（W）；ロイシン（L）；又はアルギニン（R）若しくはリジン（K）若しくはヒスチジン（H）から選択することができる陽性荷電残基から選択され；
y及びy'は、それぞれ独立に、ロイシン（L）；又はアルギニン（R）若しくはリジン（K）若しくはヒスチジン（H）から選択することができる陽性荷電残基から選択されるか、又は欠失されてあり；
z及びz'は、それぞれ独立に、アルギニン（R）若しくはリジン（K）若しくはヒスチジン（H）から選択することができる陽性荷電残基；又はロイシンから選択されるか、又は欠失されてある。
【請求項７】
以下のアミノ酸配列を含む請求項1又は2に記載のポリペプチド、その誘導体又は類似体：LRTRKRGRKLRTRKRGRK（配列番号:2）；RTRKRGRKRTRKRGRK（配列番号:3）；RTRKRGRRTRKRGR（配列番号:4）；LRKRKRLLRKRKRL（配列番号:5）；LRKRKRLRKLRKRKRLRK（配列番号:6）；WRWRKRWRKWRWRKRWRK（配列番号:7）；RRWRKRWRKWRWRKRWRK（配列番号:34）；KRWRKRWRKWRWRKRWRK（配列番号:35）；LRWRKRWRKWRWRKRWRK（配列番号:36）；HRWRKRWRKWRWRKRWRK（配列番号:37）；RWRKRWRKWRWRKRWRK（配列番号:38）；RRWRKRWRKRRWRKRWRK（配列番号:39）；KRWRKRWRKKRWRKRWRK（配列番号:40）；LRWRKRWRKLRWRKRWRK（配列番号:41）；HRWRKRWRKHRWRKRWRK（配列番号:42）；RWRKRWRKRWRKRWRK（配列番号:43）；RWRKRGRKRWRKRGRK（配列番号:44）；RTRKRWRKRTRKRGRK（配列番号:45）；RWRKRWRKRWRKRWRK（配列番号:46）；又はRWRKRWRWRKRWRWRKRW（配列番号:47）。
【請求項８】
請求項1から7のいずれかに記載のポリペプチド、その誘導体又は類似体を含む医薬組成物。
【請求項９】
ウイルス感染治療のための医薬の製造のための、請求項1から7のいずれかに記載のポリペプチド、その誘導体又は類似体の使用。
【請求項１０】
治療的に有効な量の請求項1から7のいずれか1項に記載のポリペプチド、その誘導体又は類似体を含む、ウイルス感染予防及び/又治療用医薬組成物。
【請求項１１】
医薬として使用される、請求項1から7のいずれか1項記載のポリペプチド、その誘導体又は類似体の生物学的活性を高めることができる薬剤。
【請求項１２】
請求項1から7のいずれか1項記載のポリペプチド、その誘導体又は類似体の生物学的活性を高めることができる、ウイルス感染治療用医薬の製造のための薬剤。
【請求項１３】
請求項1から7のいずれか1項記載のポリペプチド、その誘導体又は類似体をコードする核酸配列。
【請求項１４】
医薬として使用するための、請求項13に記載の核酸。
【請求項１５】
ウイルス感染治療用医薬の製造のための、請求項13に記載の核酸。
【請求項１６】
前記核酸が、配列番号:8（アポB3359-3367）、配列番号:9（GIN16）、配列番号:10（GIN35）、配列番号:11（GIN36）、配列番号:12（GIN37）、配列番号:13（GIN38）又は配列番号:14（GIN33）として示されるヌクレオチド配列を含む、請求項13に記載の核酸。
【請求項１７】
治療的に有効な量の請求項13から16のいずれか1項記載の核酸を含む、ウイルス感染予防及び/又は治療用医薬組成物。
【手続補正書】
【提出日】平成20年5月8日(2008.5.8)
【手続補正１】
【補正対象書類名】特許請求の範囲
【補正対象項目名】全文
【補正方法】変更
【補正の内容】
【特許請求の範囲】
【請求項１】
密封カバーに気密的に取り付けられた軟質バッグ又はパウチを有し、充填を可能にする開口部を提供する手段及び前記排気されると共に（或いは）折り畳まれた容器を密封するシール、例えば逆止弁を更に備え、前記シールは、前記開口部を通る充填を可能にするよう使用でき又は取り外すことができ、前記開口部を提供する前記手段は、前記容器の充填後に元に戻すことができる、容器。
【請求項２】
平らに包装するのに先立って滅菌される、請求項１記載の容器。
【請求項３】
気密封止包装状態で密閉されている、請求項１又は２記載の容器。
【請求項４】
軟質バッグ又はパウチと、別個のカバーと、前記バッグ又はパウチを前記カバーのリムに気密的に取り付けることができるバンドとから成る、請求項１〜３のうちいずれか一に記載の容器。
【請求項５】
互いに溶接された軟質バッグ又はパウチと別個のカバーとから成る、請求項１〜４のうちいずれか一に記載の容器。
【請求項６】
前記バッグ又はパウチは、内容物が見えるようなものである、請求項１〜５のうちいずれか一に記載の容器。
【請求項７】
前記バッグ又はパウチは、あらかじめ印付けられた容量標識を備えている、請求項１〜６のうちいずれか一に記載の容器。
【請求項８】
前記バッグ又はパウチの前記側壁の厚さは、２５μｍ〜１５０μｍである、請求項１〜７のうちいずれか一に記載の容器。
【請求項９】
最高１００℃までの温度に耐えることができる、請求項１〜８のうちいずれか一に記載の容器。
【請求項１０】
前記カバーは、前記容器が前記容器の設計対象の特定の液体を収容しているとき、前記容器に強度及び健全性をもたらすほど十分剛性である、請求項１〜９のうちいずれか一に記載の容器。
【請求項１１】
前記カバーは、ポリプロピレン、エチレン／プロピレンコポリマーゴム又はポリアミドで作られている、請求項１０記載の容器。
【請求項１２】
流体送り出しチューブを取り付ける手段を備えている、請求項１〜１１のうちいずれか一に記載の容器。
【請求項１３】
前記流体送り出しチューブは、マウスピースである、請求項１２記載の容器。
【請求項１４】
粉末、シロップ、ペースト、興奮性飲料、ドライフーズ、液体及び（又は）顆粒から選択されたあらかじめ計量された成分を収容している、請求項１〜１３のうちいずれか一に記載の容器。
【請求項１５】
前記あらかじめ計量された成分は、粉乳である、請求項１４記載の容器。
【請求項１６】
温度計を備えている、請求項１〜１５のうちいずれか一に記載の容器。
【請求項１７】
ホルダに気密的に封着されたバッグ又はパウチを有する容器であって、前記ホルダは、キャップに解除自在に係合するようになっており、前記キャップは、前記バッグ又はパウチの内容物のための送り出し機構を有し、前記ホルダは、キャップを取り外すことにより露出させてちぎることができ、それにより物体を前記バッグ又はパウチ内に導入できるようにする前記バッグ又はパウチ用密封機構を有し、前記キャップは、前記ホルダ内に戻すことができ、それにより、前記送り出し機構を提供する、容器。
【請求項１８】
前記送り出し機構は、乳首である、請求項１７記載の容器。
【請求項１９】
前記キャップに解除自在に係合できるプラグが用意されている、請求項１７又は１８記載の容器。
【請求項２０】
前記プラグは、取り付けられると前記乳首を圧縮し、取り外されると前記乳首を放してこれを使用できるようにする請求項１９記載の容器。
【請求項２１】
前記乳首は、圧縮されると、前記密封機構を提供する、請求項２０記載の容器。
【請求項２２】
前記密封機構は、引きリングから成る、請求項１７〜１９のうちいずれか一に記載の容器。
【請求項２３】
前記キャップは、前記送り出し機構を定位置に固定する仕方で前記ホルダと係合可能である、請求項１７〜２２のうちいずれか一に記載の容器。
【請求項２４】
前記キャップは、ねじ山によって前記ホルダに係合可能であり、前記キャップを前記ホルダに係合できる程度を制御する停止部が、前記ホルダに設けられている、請求項２３記載の容器。
【請求項２５】
請求項１〜２４のうちいずれか一に記載の平らに包装された容器を複数個収容したパッケージ。
【請求項２６】
充填状態の前記容器のための１つ又は２つ以上のホルダを更に収容している、請求項２５記載のパッケージ。
【請求項２７】
液体／流体の準備及び（又は）消費のための請求項１〜２４のうちいずれか一に記載の容器の用途。
【請求項２８】
液体／流体の処分のための請求項１〜２４のうちいずれか一に記載の容器の用途。
【請求項２９】
液体サンプルの補集及び（又は）運搬のための請求項１〜２４のうちいずれか一に記載の容器の用途。
【手続補正書】
【提出日】平成20年5月2日(2008.5.2)
【手続補正１】
【補正対象書類名】特許請求の範囲
【補正対象項目名】全文
【補正方法】変更
【補正の内容】
【特許請求の範囲】
【請求項１】
分光システム用の測定ヘッドにおいて、
−  前記測定ヘッドを患者の皮膚の表面の領域に固定する固定手段と、
−  励起ビームを目標領域に向けると共に該目標領域からの戻りの放射を集める、前記目標領域の画像化のための対物レンズと、
を有する測定ヘッド。
【請求項２】
請求項１に記載の測定ヘッドにおいて、前記固定手段を前記対物レンズに対して該対物レンズの光軸に略垂直な面内で移動させて、前記目標領域を前記対物レンズの光軸へ移動させる手段を更に有していることを特徴とする測定ヘッド。
【請求項３】
請求項１又は請求項２に記載の測定ヘッドにおいて、前記対物レンズを前記固定手段に対して該対物レンズの光軸に略平行な方向に移動させて、前記対物レンズの焦点面を前記目標領域へ移動させる手段を更に有していることを特徴とする測定ヘッド。
【請求項４】
請求項１ないし３の何れか一項に記載の測定ヘッドにおいて、前記固定手段は前記皮膚の表面の領域と接触するように構成された接着エレメントを有し、該接着エレメントが、更に、前記皮膚の表面の領域と前記固定手段との間の相対運動を防止するように構成されていることを特徴とする測定ヘッド。
【請求項５】
請求項１ないし４の何れか一項に記載の測定ヘッドにおいて、前記固定手段は第１及び第２のクランプエレメントを更に有し、前記第１のクランプエレメントは当該測定ヘッドのハウジングの一体部分であり、前記第１及び第２のクランプエレメントは前記皮膚の表面に機械的応力を発生するように構成されていることを特徴とする測定ヘッド。
【請求項６】
請求項１ないし５の何れか一項に記載の測定ヘッドにおいて、前記固定手段は少なくとも第１及び第２の磁気エレメントを有し、前記第１及び第２の磁気エレメントは相互に吸引磁力を発生し、前記第１の磁気エレメントは前記測定ヘッドのハウジングの一体部分であり、前記第２の磁気エレメントは前記目標領域を含む前記患者の組織の体積により前記第１の磁気エレメントから離隔されるように構成されていることを特徴とする測定ヘッド。
【請求項７】
請求項１ないし６の何れか一項に記載の測定ヘッドにおいて、前記固定手段は前記皮膚の表面と該固定手段との間に第１の気圧を発生する手段を有し、前記第１の気圧が周囲の気圧よりも大幅に小さいことを特徴とする測定ヘッド。
【請求項８】
請求項１ないし７の何れか一項に記載の測定ヘッドにおいて、前記固定手段は少なくとも１つの使い捨て可能なエレメントを有し、該少なくとも１つの使い捨て可能なエレメントが前記皮膚の表面の領域と接触するように構成されていることを特徴とする測定ヘッド。
【請求項９】
請求項１又は請求項３ないし８の何れか一項に記載の測定ヘッドにおいて、前記固定手段は前記対物レンズに剛性的に接続され、当該測定ヘッドは前記皮膚の表面の領域に接触するように構成された少なくとも第１及び第２の変位エレメントを更に有し、前記第１の変位エレメントは前記皮膚の表面の領域を第１の方向に沿って変位させるように構成され、前記第２の変位エレメントは前記皮膚の表面の領域を第２の方向に沿って変位させるように構成され、前記第１及び第２の方向は前記対物レンズの光軸に対して略垂直であり、前記第１の方向が前記第２の方向に対して略垂直であることを特徴とする測定ヘッド。
【請求項１０】
請求項１ないし９の何れか一項に記載の測定ヘッドにおいて、前記固定手段はウィンドウを更に有し、該ウィンドウが当該測定ヘッドのハウジングの一体化部分であることを特徴とする測定ヘッド。
【請求項１１】
請求項１ないし１０の何れか一項に記載の測定ヘッドにおいて、少なくとも１つの圧力センサを更に有し、該少なくとも１つの圧力センサが当該測定ヘッドと前記皮膚の表面との間の接触圧を測定することを特徴とする測定ヘッド。
【請求項１２】
請求項１ないし１１の何れか一項に記載の測定ヘッドを、患者の皮膚の表面の領域に固定する固定手段。
【請求項１３】
請求項１２に記載の固定手段において、該固定手段が前記測定ヘッドのハウジングを前記皮膚の表面の領域に固定するように構成されていることを特徴とする固定手段。
【請求項１４】
請求項１２又は請求項１３に記載の固定手段において、前記皮膚の表面に接触するように構成された少なくとも１つの使い捨て可能なエレメントを更に有していることを特徴とする固定手段。
【請求項１５】
分光システムの測定ヘッドを目標領域に対して位置決めする方法において、該位置決めする方法が、
−  前記測定ヘッドの固定手段を皮膚の表面の領域に当てるステップと、
−  前記目標領域を前記測定ヘッドの対物レンズの光軸上に位置決めすると共に該目標領域を画像化するために、前記測定ヘッドの前記固定手段を該測定ヘッドの前記対物レンズに対し移動させるステップと、
を有することを特徴とする方法。
【手続補正書】
【提出日】平成20年5月13日(2008.5.13)
【手続補正１】
【補正対象書類名】特許請求の範囲
【補正対象項目名】全文
【補正方法】変更
【補正の内容】
【特許請求の範囲】
【請求項１】
哺乳動物における細胞増殖性疾患をインビトロで診断するための方法であって、
ａ)該哺乳動物から生物学的試料を得る工程；
ｂ)表３から選択される少なくとも２個から４０個の遺伝子マーカーの、該試料における発現および／またはリン酸化プロフィールを決定する工程；
ｃ)患者の遺伝子発現プロフィールと表３に示される平均非応答性発現プロフィールとを比較する工程；
ｄ)(ｂ)の比較から得られた２個の遺伝子発現プロフィール間の類似性を決定する工程；
ｅ)(ｃ)で決定された類似度を用いて、ＧＢＭ病状を有する患者が薬剤に応答する可能性を決定する工程
を少なくとも含む方法。
【請求項２】
表３から選択される少なくとも３個から５個の遺伝子マーカーの発現および／またはリン酸化プロフィールを、工程ｂ)で決定する、請求項１に記載の方法。
【請求項３】
少なくとも１個のＰＤＧＦ受容体アンタゴニストを用いる薬物療法に応答した、細胞増殖性疾患を有する哺乳動物の行動を予測するための方法であって、
ａ)該哺乳動物から生物学的試料を得る工程；
ｂ)表３から選択される少なくとも２個から４０個の遺伝子マーカーの、該試料における発現および／またはリン酸化プロフィールを決定する工程；
ｃ)工程ｂ)で得られた発現および／またはリン酸化プロフィールと、応答性および非応答性発現および／またはリン酸化プロフィールについて表３から計算された平均±標準偏差とを比較する工程；そして
ｄ)該哺乳動物の行動を下記の通りに予測する工程：
−ｂ)で得られた発現および／またはリン酸化プロフィールが、応答性発現および／またはリン酸化プロフィールについて計算される平均±標準偏差内であるならば、該哺乳動物を該処置に応答性であると予測する
−ｂ)で得られた発現および／またはリン酸化プロフィールが、非応答性発現および／またはリン酸化プロフィールについて計算される平均±標準偏差内であるならば、該哺乳動物を該処置に非応答であると予測する；および
−ｂ)で得られた発現および／またはリン酸化プロフィールが、応答性および非応答性発現および／またはリン酸化プロフィールについて計算される平均±標準偏差外であるならば、該処置に応答した該哺乳動物の行動は不明である
を少なくとも含む方法。
【請求項４】
表３から選択される少なくとも３個から５個の遺伝子マーカーの発現および／またはリン酸化プロフィールを、工程ｂ)で決定する、請求項３に記載の方法。
【請求項５】
少なくとも１個のＰＤＧＦ受容体アンタゴニストを用いる薬物療法に応答性であると予測される、細胞増殖性疾患を有する哺乳動物を選択する方法であって、
ａ)請求項３または４に記載の方法を用いて該哺乳動物の行動を予測する工程；および
ｂ)該哺乳動物が応答性であると予測されるならば、該哺乳動物を選択する工程
を少なくとも含む方法。
【請求項６】
該哺乳動物がヒトである、請求項１から５のいずれか一項に記載の方法。
【請求項７】
表３から選択される少なくとも２個から４０個の遺伝子マーカーのｃＤＮＡおよび／または抗体を含む、哺乳動物における遺伝子マーカーの発現および／またはリン酸化プロフィールをインビトロで分析するためのキット。
【請求項８】
表３から選択される少なくとも３個から５個の遺伝子マーカーのｃＤＮＡおよび／または抗体を含む、請求項７に記載のキット。
【請求項９】
該哺乳動物がヒトである、請求項７または８に記載のキット。
【請求項１０】
−哺乳動物における細胞増殖性疾患のインビトロ診断；および／または
−細胞増殖性疾患を有する哺乳動物の少なくとも１個のＰＤＧＦ受容体アンタゴニストを用いる薬物療法に応答した行動の予測；および／または
−少なくとも１個のＰＤＧＦ受容体アンタゴニストを用いる薬物療法に応答性であると予測される、細胞増殖性疾患を有する哺乳動物の選択
のための遺伝子マーカーとしての、表３から選択される少なくとも１個の遺伝子および／または少なくとも１個の遺伝子産物の使用。
【請求項１１】
該遺伝子に対応するｃＤＮＡおよび／または該遺伝子産物に特異的な抗体(複数可)を用いる、請求項１０に記載の使用。
【請求項１２】
−哺乳動物の細胞増殖性疾患のインビトロ診断；および／または
−細胞増殖性疾患を有する哺乳動物の少なくとも１個のＰＤＧＦ受容体アンタゴニストを用いる薬物療法に応答した行動の予測；および／または
−少なくとも１個のＰＤＧＦ受容体アンタゴニストを用いる薬物療法に応答性であると予測される、細胞増殖性疾患を有する哺乳動物の選択
のための、請求項７から９のいずれか一項に記載キットの使用。
【請求項１３】
−哺乳動物における細胞増殖疾患のインビトロ診断；および／または
−細胞増殖性疾患を有する哺乳動物の少なくとも１個のＰＤＧＦ受容体アンタゴニストを用いる薬物療法に応答した行動の予測；および／または
−少なくとも１個のＰＤＧＦ受容体アンタゴニストを用いる薬物療法に応答性であると予測される、細胞増殖性疾患を有する哺乳動物の選択
のための、請求項１０から１２のいずれか一項に記載のマイクロアレイまたはバイオチップの使用。
【請求項１４】
請求項５に記載の方法を用いて選択される、細胞増殖性疾患を有する応答性哺乳動物を処置するための薬剤の製造を目的とした、少なくとも１個のＰＤＧＦ受容体アンタゴニストの使用。
【請求項１５】
該哺乳動物がヒトである、請求項１０から１４のいずれか一項に記載の使用。
【手続補正書】
【提出日】平成19年12月12日(2007.12.12)
【手続補正１】
【補正対象書類名】特許請求の範囲
【補正対象項目名】全文
【補正方法】変更
【補正の内容】
【特許請求の範囲】
【請求項１】
所与の生物学的サンプル中のシトクロムｃを検出する方法であって、
−  シトクロムｃの繰り返しの酸化還元を可能にする有効量の２つのレドックス対を該サンプルに加える工程であり、該対は、シトクロムｃオキシダーゼ酵素からなる酸化剤と、シトクロムｃに特異的な還元剤−還元型の補助因子とを含む、工程と、
−  補助因子に依存しかつ補助因子の酸化型の形態を還元型の形態から区別することを可能にする生物物理学的なシステムによって、前記の繰り返しの酸化還元反応の間に酸化される補助因子の酸化を測定する工程であり、補助因子の酸化型の形態の量は、サンプル中のシトクロムｃの濃度に相関させられる、工程と
を包含する方法。
【請求項２】
前記測定は、標準のシトクロムｃにより行われた測定と比較される、請求項１に記載の方法。
【請求項３】
還元剤はＮＡＤＨ−シトクロムｃレダクターゼまたはＮＡＤＰＨ−シトクロムｃレダクターゼであり、還元型の補助因子はＮＡＤＨまたはＮＡＤＰＨである、請求項１または２に記載の方法。
【請求項４】
補助因子は、３４０ｎｍでの吸光光度分析によって検出される、請求項１〜３のいずれか１つに記載の方法。
【請求項５】
前記の各剤は、限定されるわけではないが例えば、液体下にあるか、乾燥させられるかまたは凍結乾燥させられた形態であり、組み換えまたは天然の化合物の精製または化学合成によって得られる、請求項１〜４のいずれか１つに記載の方法。
【請求項６】
あらゆる新しいスクリーニングプロトコールのために最適化されるか、または、あらゆる既存のスクリーニング手順に適応させられる、請求項１〜５のいずれか１つに記載の方法。
【請求項７】
試験されるべきサンプル中のシトクロムｃを検出するためのキットであって、
−  シトクロムｃの繰り返しの酸化還元のための２つのレドックス対であって、シトクロムｃオキシダーゼ酵素からなる酸化剤と、シトクロムｃに特異的な還元剤−還元型の補助因子とを含む対を含むキット。
【請求項８】
還元剤はＮＡＤＨ−シトクロムｃレダクターゼであり、補助因子はＮＡＤＨである、請求項７に記載のキット。
【請求項９】
還元剤はＮＡＤＰＨ−シトクロムｃレダクターゼであり、補助因子はＮＡＤＰＨである、請求項７に記載のキット。
【請求項１０】
参照基準としてシトクロムｃをさらに含む、請求項７〜９のいずれか１つに記載のキット。
【請求項１１】
緩衝剤をさらに含む、請求項７〜１０のいずれか１つに記載のキット。
【請求項１２】
前記の各剤は、限定されるわけではないが例えば、液体下にあるか、乾燥させられるか、または凍結乾燥させられた形態であり、組み換えまたは天然の化合物の精製または化学合成によって得られる、請求項７〜１１のいずれか１つに記載のキット。
【請求項１３】
研究所での研究のみのために規定される、請求項７〜１２のいずれか１つに記載のキット。
【請求項１４】
診断用途のために規定される、請求項７〜１２のいずれか１つに記載のキット。
【請求項１５】
容器のあらゆるフォーマット、限定されるわけではないが例えば、９６ウェルのマイクロプレート、３８４ウェルのマイクロプレート、１ｍＬのキュベットに最適化される、請求項７〜１４のいずれか１つに記載のキット。
【請求項１６】
ミトコンドリア上清中のシトクロムｃを検出するために最適化される、請求項７〜１５のいずれか１つに記載のキット。
【請求項１７】
サイトゾル抽出物中のシトクロムｃを検出するために最適化される、請求項７〜１５のいずれか１つに記載のキット。
【請求項１８】
シトクロムｃを含むことが予想される任意の他の生物学的サンプル中のシトクロムｃを検出するために最適化される、請求項７〜１５のいずれか１つに記載のキット。
【請求項１９】
ミトコンドリアのおよび／またはサイトゾルの画分の調製のために供給される試薬を有する、請求項１８に記載のキット。
【請求項２０】
ミトコンドリアのおよび／またはサイトゾルの画分の調製のための方法論を有する、請求項１９に記載のキット。
【手続補正２】
【補正対象書類名】明細書
【補正対象項目名】００１１
【補正方法】変更
【補正の内容】
【００１１】
本発明によると、本方法は、
−  シトクロムｃの繰り返し（cycling）の酸化還元のために、研究されるサンプルに有効量の２つのレドックス対を加える工程であり、該対は、酸化剤であるシトクロムｃオキシダーゼ酵素（ＣＯＸ）およびシトクロムｃに特異的な還元剤−補助因子を含む工程と、
−  酸化還元の繰り返しの間に酸化される補助因子の酸化を測定する工程であり、その酸化型の形態の量が、サンプル中のシトクロムｃの濃度に相関させられる工程と
を必要とする。
【手続補正３】
【補正対象書類名】明細書
【補正対象項目名】００１９
【補正方法】変更
【補正の内容】
【００１９】
本発明はまた、試験されるべきサンプル中のシトクロムｃを検出するためのキットに関する。このようなキットは、
−  シトクロムｃの繰り返しの酸化還元のための２つのレドックス対であって、該対は、酸化剤、すなわち、シトクロムｃオキシダーゼ酵素およびシトクロムｃに特異的な還元剤−還元された補助因子を含むものを含む。
【手続補正書】
【提出日】平成20年2月15日(2008.2.15)
【手続補正１】
【補正対象書類名】特許請求の範囲
【補正対象項目名】全文
【補正方法】変更
【補正の内容】
【特許請求の範囲】
【請求項１】
哺乳動物における神経障害性疼痛のレベルを評価する方法であって、該方法は：
（ａ）神経障害性疼痛の条件下にある哺乳動物から得られた第１皮膚生検試料および実質的に神経障害性疼痛がない条件下にある哺乳動物から得られた第２皮膚生検試料から組織抽出物を調製する工程；ならびに
（ｂ）該組織中の少なくとも１種の核酸の量またはタンパク質の量を決定する工程、
を包含し、
ここで該核酸または該タンパク質は、配列番号１〜７９０のいずれか１つの非重複部分配列を含み、ここで該第１試料中の該核酸の量または該タンパク質の量と、該第２試料中の同じ核酸の量または同じタンパク質の量との間の差異は、神経障害性疼痛のレベルを示す、方法。
【請求項２】
前記第１試料中の前記核酸の量または前記タンパク質の量は、前記第２試料中の同じ核酸の量または同じタンパク質の量とは少なくとも２倍異なる、請求項１に記載の方法。
【請求項３】
前記第１試料および前記第２試料は、同じ哺乳動物から得られる、請求項１に記載の方法。
【請求項４】
前記哺乳動物は齧歯類である、請求項１に記載の方法。
【請求項５】
前記核酸は、配列番号１〜３０８のヌクレオチド配列のうちのいずれか１つの非重複部分配列を含む、請求項１に記載の方法。
【請求項６】
前記核酸は、配列番号１〜４２のヌクレオチド配列のうちのいずれか１つの非重複部分配列を含む、請求項１に記載の方法。
【請求項７】
前記タンパク質は、配列番号３０９〜４７０のアミノ酸配列のうちのいずれか１つの非重複部分配列を含む、請求項１に記載の方法。
【請求項８】
前記タンパク質は、配列番号３０９〜３３３のアミノ酸配列のうちのいずれか１つの非重複部分配列を含む、請求項１に記載の方法。
【請求項９】
前記哺乳動物はヒトである、請求項１に記載の方法。
【請求項１０】
前記核酸は、配列番号４７１〜６３０のヌクレオチド配列のうちのいずれか１つの非重複部分配列を含む、請求項１に記載の方法。
【請求項１１】
前記核酸は、配列番号４７１〜４９３のヌクレオチド配列のうちのいずれか１つの非重複部分配列を含む、請求項１に記載の方法。
【請求項１２】
前記タンパク質は、配列番号６３１〜７９０のアミノ酸配列のうちのいずれか１つの非重複部分配列を含む、請求項１に記載の方法。
【請求項１３】
前記タンパク質は、配列番号６３１〜６５３のアミノ酸配列のうちのいずれか１つの非重複部分配列を含む、請求項１に記載の方法。
【請求項１４】
哺乳動物における神経障害性疼痛のレベルを評価する方法であって、該方法は：
（ａ）神経障害性疼痛の条件下にある哺乳動物から得られた第１皮膚生検試料および実質的に神経障害性疼痛がない条件下にある哺乳動物から得られた第２皮膚生検試料から組織抽出物を調製する工程；ならびに
（ｂ）該組織中の少なくとも１種の核酸の量またはタンパク質の量を決定する工程、
を包含し、
ここで該核酸または該タンパク質は、筋特異的であり、ここで該第１試料中の該核酸の量または該タンパク質の量と、該第２試料中の同じ核酸の量または同じタンパク質の量との間の差異は、神経障害性疼痛のレベルを示す、方法。
【手続補正書】
【提出日】平成20年4月18日(2008.4.18)
【手続補正１】
【補正対象書類名】特許請求の範囲
【補正対象項目名】全文
【補正方法】変更
【補正の内容】
【特許請求の範囲】
【請求項１】
組織中に挿入するように構成されたハウジング内に配置されて、前記ハウジングからある長さで突き出る静脈係合状態で作動する少なくとも一つの静脈係合要素を備えた、身体内の拡張蛇行浅静脈を治療するための外科装置。
【請求項２】
前記外科装置は、前記ハウジングの末端に配置された先端をさらに備え、前記先端は、皮膚層に切開口を通して挿入するように構成された実質的にテーパの付いた先端；及び皮膚層を通して切開口を作るように構成された実質的に尖った先端のうちの少なくとも一つを備える請求項１に記載の外科装置。
【請求項３】
前記少なくとも一つの静脈係合要素は歯付き静脈係合要素；及びフック付き静脈係合要素のうちの少なくとも一つを備える請求項１に記載の外科装置。
【請求項４】
前記ハウジングは、前記少なくとも一つの静脈係合要素が前記静脈係合状態をとることができるように構成された少なくとも一つの縦方向スリットを備える請求項１に記載の外科装置。
【請求項５】
前記外科装置は、前記少なくとも一つの静脈係合要素に対して押すように構成された状態選択機構をさらに備え、それによって前記少なくとも一つの静脈係合要素に前記静脈係合状態をとらせる請求項１に記載の外科装置。
【請求項６】
前記状態選択機構は、前記少なくとも一つの静脈係合要素を前記静脈係合状態にするための、電気出力機構を含む請求項５に記載の外科装置。
【請求項７】
前記ハウジングの少なくとも一部は中空の管を備え、前記少なくとも一つの静脈係合要素は前記静脈係合状態をとる前に前記中空の管内に位置されるように構成される請求項１に記載の外科装置。
【請求項８】
前記外科装置は少なくとも一つの複数の静脈係合要素を含み、前記少なくとも一つの複数の静脈係合要素のうちの少なくとも二つは互いに実質的に一体的に結合される請求項１に記載の外科装置。
【請求項９】
前記ハウジングは実質的に剛く、前記剛いハウジングの一部が操作者によって操作されるように構成される請求項１に記載の外科装置。
【請求項１０】
前記少なくとも一つの静脈係合要素は下記ａ）〜ｆ）の少なくとも一つを提供するように構成される請求項１に記載の外科装置：
ａ）静脈に穴をあける；
ｂ）静脈を係合する；
ｃ）静脈の少なくとも一部を引き裂く；
ｂ）静脈の少なくとも一部をもつれさせる；
ｅ）前記ハウジングの縦軸に沿って前記ハウジングを回転しながら前記ハウジングのまわりに静脈の少なくとも一部を巻きつける；及び
ｆ）静脈の第一部分を静脈の第二部分から分離する。
【手続補正書】
【提出日】平成20年3月19日(2008.3.19)
【手続補正１】
【補正対象書類名】明細書
【補正対象項目名】００２３
【補正方法】変更
【補正の内容】
【００２３】
図２：
モータ１のシリンダ５は、第１支持部（位置）１７と第２支持部（位置）１８とを介して、変速機ハウジング３内に支持されている。第１支持部１７は、第１の変速機ハウジング半部１９内にあり、第２支持部１８は、第２の変速機ハウジング半部２０内にある。変速機ハウジング半部１９及び変速機ハウジング半部２０の分割線２１は、第１支持部１７と第２支持部１８との間に配置されている。クランクシャフトとして形成されたモータ１の出力軸６に対して、平歯車７が回転しないように結合されている。平歯車７は、平歯車８と噛み合っている。平歯車８は、出力軸２２と回転しないように結合されている。図１のモータ２は、図１に図示された平歯車１０を介して、平歯車１１を駆動する。平歯車１１は、同様に、出力軸２２と回転しないように結合されている。出力軸２２には、パーキングブレーキ２３が設けられている。パーキングブレーキ２３は、変速機ハウジング３の内部に配置されている。出力軸２２は、変速機ハウジング３を完全に貫通して、変速機ハウジングの各側に出力フランジが配置され得る。変速機ハウジング半部１９上に、圧力媒体−分配カバー２５が配置されている。そこには、前記パイロットバルブによって制御される液圧式の弁が配置されていて、また、それは、高圧配管及び低圧配管のための供給ポートを有しており、液圧ポンプの体積流を変速機ハウジング半部１９に配置された供給路２６を介してシリンダに案内する。供給路２６及び選択的には第１支持部１７は、変速機ハウジング半部１９内に嵌められる一つのカバー内に設けられ得る。これにより、カバーを液圧キャスティング（Hydraulikguss）で製造し、残りの変速機ハウジング半部１９をサンドキャスティング（Sandguss）で製造することが可能である。これにより、変速機ハウジングは、液圧式の供給配管及び電子的な制御装置への制御配管のみを有する。これにより、その自動車への設置が顕著に容易となる。液圧式の弁に対するパイロットバルブの接続管は、好適には、変速機ハウジング３の内側に配置される。圧力媒体供給路は、シール材と共に、出力軸６のできる限り小さい直径において、ハウジング部分１９ないし一つの（あるいは二つの）カバー内に配置される。
【手続補正書】
【提出日】平成20年3月27日(2008.3.27)
【手続補正１】
【補正対象書類名】特許請求の範囲
【補正対象項目名】全文
【補正方法】変更
【補正の内容】
【特許請求の範囲】
【請求項１】
支持体および少なくとも１つの水溶性結合剤と無機粒子とを含む少なくとも１つのインク受け層を備えるインクジェット記録要素上にインクジェットによって印刷された画像のオゾンに対する安定性を、少なくとも１つのアルキルスルホン酸またはそのアルキルスルホネート塩を導入することによって向上させることを特徴とする、インクジェット記録要素のオゾン安定性を向上するための方法。
【請求項２】
請求項１に記載の方法であって、
前記アルキルスルホン酸またはそのアルキルスルホネート塩が、印刷インクを介して導入されることを特徴とする方法。
【請求項３】
請求項１に記載の方法であって、
前記アルキルスルホン酸またはそのアルキルスルホネート塩が、前記記録要素の前記インク受け層に導入されることを特徴とする方法。
【請求項４】
請求項１〜３のいずれか１項に記載の方法であって、
前記アルキルスルホン酸またはそのアルキルスルホネート塩におけるアルキル基が、直鎖状または分枝状であり、置換されておりまたは置換されておらず、かつ３から８個の炭素原子を含むことを特徴とする方法。
【請求項５】
請求項１〜４のいずれか１項に記載の方法であって、
前記アルキルスルホネート塩が、プロパンスルホン酸ナトリウム、ヘキサンスルホン酸ナトリウム、およびオクタンスルホン酸ナトリウムから成るグループから選択されることを特徴とする方法。
【請求項６】
請求項１〜５のいずれか１項に記載の方法であって、
前記アルキルスルホン酸またはそのアルキルスルホネート塩の濃度が、前記インク受け層の総重量に対して重量で３パーセントと１０パーセントの間であることを特徴とする方法。
【請求項７】
請求項１〜６のいずれか１項に記載の方法であって、
前記無機粒子が、ベーマイト、フュームドアルミナ、コロイド状シリカ、フュームドシリカ、珪酸カルシウム、珪酸マグネシウム、ゼオライト、カオリン、ベントナイト、二酸化珪素、および二酸化チタンから成るグループから選定されることを特徴とする方法。
【請求項８】
請求項１〜７のいずれか１項に記載の方法であって、
前記無機粒子が、炭酸カルシウム、または炭酸バリウムに基づいていることを特徴とする方法。
【手続補正書】
【提出日】平成20年4月30日(2008.4.30)
【手続補正１】
【補正対象書類名】特許請求の範囲
【補正対象項目名】請求項２７
【補正方法】変更
【補正の内容】
【請求項２７】
ホース、ケーブル、またはその他を巻き取り、また解き放つための装置であって、
該装置(1)が、手動であり、主要素として車輪付きの台(2)を有し、台(2)上には、上向きの支持体(6)が備えられ、ここで、少なくとも二つのガイド(10および11)の形の懸架手段(9)が、前記支持体(6)上に備えられ、これらのガイドの各々が一つの要素(12)の形に作られ、またここで、これらの要素(12)が、支持体(6)上にある距離だけ相互に離して配置してあり、またこれらの要素が、前記ホース(16)および/またはケーブルを、相互にある距離だけ離れた少なくとも二つの位置で支持することができる装置において、
前記要素(12)が、ドラムを有する従来の装置に対して横に空間を節約するように細長い様態でホース(16)及び／又はケーブルが巻き取られるような様態で互いに対して構成されており、支持体(6)に平行または実質的に平行な一つまたは二つの隔壁(13または33)によって限られており、さらにまた、中間隔壁(14または34)がこれらの要素(12)上に備えられる、
ことを特徴とする装置。
【手続補正２】
【補正対象書類名】明細書
【補正対象項目名】００２２
【補正方法】変更
【補正の内容】
【００２２】
本発明は、また、
ホース、ケーブル、またはその他を巻き取り、また解き放つための装置であって、
該装置が、手動であり、主要素として車輪付きの台を有し、この台上には、上向きの支持体が備えられ、ここで、少なくとも二つのガイドの形の懸架手段が、前記支持体上に備えられ、これらのガイドの各々が一つの要素の形に作られ、ここで、これらの要素が、前記支持体上にある距離だけ相互に離して配置してあり、またこれらの要素が、前記ホースおよび/またはケーブルを、相互にある距離だけ離れた少なくとも二つの位置で支持することができる装置において、
前記要素が、ドラムを有する従来の装置に対して横に空間を節約するように細長い様態でホース及び／又はケーブルが巻き取られるような様態で互いに対して構成されており、支持体に平行または実質的に平行な一つまたは二つの隔壁によって限られており、さらにまた、中間隔壁がこれらの要素上に備えられる、
ことを特徴とする装置、
にも関する。
【手続補正書】
【提出日】平成20年4月1日(2008.4.1)
【手続補正１】
【補正対象書類名】特許請求の範囲
【補正対象項目名】全文
【補正方法】変更
【補正の内容】
【特許請求の範囲】
【請求項１】
不規則に配列された繊維から構成される不織布と；該不織布の繊維に接着された、モース硬度が２以上の接着剤と；該接着剤によって不織布に接着された研磨粒子とを、有する実質的に嵩高な不織布研磨材において、
該研磨粒子が平均粒径０．１〜１ｍｍかつモース硬度２〜４の軟質大寸法粒子と平均粒径１〜１０μｍかつモース硬度８以上の硬質小寸法粒子とを含有してなる不織布研磨材。
【請求項２】
前記軟質大寸法粒子の粒径が硬質小寸法粒子の粒径の１０〜１０００倍である請求項１記載の不織布研磨材。
【請求項３】
前記接着剤のモース硬度が軟質大寸法粒子のモース硬度と同程度である請求項１記載の不織布研磨材。
【請求項４】
軟質大寸法粒子と硬質小寸法粒子との配合比率が１：９から９：１の範囲である請求項１記載の不織布研磨材。
【手続補正書】
【提出日】平成20年4月25日(2008.4.25)
【手続補正１】
【補正対象書類名】特許請求の範囲
【補正対象項目名】全文
【補正方法】変更
【補正の内容】
【特許請求の範囲】
【請求項１】
インクジェット印刷ステーションのインクジェット印刷ヘッドをシャットダウンする方法であって、
前記インクジェット印刷ステーションは、導入口および排出口を備えたインク滴生成器、オリフィス機構、複数のノズル、流体供給ライン内の一つ以上のフィルタ、前記インク滴生成器に接続された流体供給ポンプ、流体ライン、クロスフラッシュバルブを備えた流体帰還ライン、貯液容器、および圧搾空気源並びに洗浄用流体源を含み、前記方法は、
ａ．インクジェット印刷ヘッドをシャットダウンするためにインク滴生成器の箇所で一定の正圧を保持するステップであって、前記一定の正圧は０．１ｐｓｉ〜３５ｐｓｉの範囲にあり、前記一定の正圧の保持は、
ｉ．前記クロスフラッシュバルブが前記排出口に接続された前記流体帰還ラインを閉じていることを確かめて前記フィルタおよび前記インク滴生成器上に前記一定の正圧を生成し、それにより流体を前記オリフィス機構から前記流体ラインに流入させるステップ、および
ｉｉ．前記流体供給ラインからの流体の流れを停止するステップ、
により行われるステップ、
ｂ．洗浄用流体を洗浄用流体源から一つ以上のフィルタを通して前記インク滴生成器内に流動させ、さらに前記オリフィス機構から前記流体ライン内および前記貯液容器内へ流動させるステップ、および
ｃ．前記一つ以上のフィルタ、前記インク滴生成器、前記オリフィス機構、および前記流体ラインを通して清浄な圧搾空気を流してほぼ全ての前記洗浄用流体を前記一つ以上のフィルタ、インク滴生成器、およびオリフィス機構から除去するステップ、
を含むことを特徴とする方法。
【請求項２】
インクジェット印刷ステーションであって、
導入口および排出口を備えたインク滴生成器、オリフィス機構、複数のノズル、前記インク滴生成器に接続されると共に、流体供給ポンプを備えたインク供給源に接続された流体供給ライン内の一つ以上のフィルタ、前記複数のノズルから流体を受ける流体ライン、前記排出口に接続された流体帰還ライン、前記流体帰還ライン内のクロスフラッシュバルブ、および前記流体ラインから流体を受ける貯液容器を含む印刷ステーションは、
ａ．前記一つ以上のフィルタ、前記インク滴生成器、および前記オリフィス機構に接続された洗浄用流体源であって、この洗浄用流体源により前記インク滴生成器において０．１ｐｓｉ〜３５ｐｓｉの範囲の一定の正圧が確保される洗浄用流体源、および、
ｂ．一つ以上のフィルタ、インク滴生成器、オリフィス機構、および流体ラインから流体を除去する圧搾空気源であって、前記圧搾空気源により前記インク滴生成器への一定の正圧が保持されると共に、前記インク滴生成器から流体が除去される圧搾空気源、
を含むことを特徴とする印刷ステーション。
【手続補正書】
【提出日】平成20年4月9日(2008.4.9)
【手続補正１】
【補正対象書類名】特許請求の範囲
【補正対象項目名】全文
【補正方法】変更
【補正の内容】
【特許請求の範囲】
【請求項１】
制御された流体システムを有するプリントステーションであって、
ａ．プリントヘッドと、
ｂ．前記プリントヘッドに流体を供給するために前記プリントヘッドと連通し、流体を収容しているリザーバと、
ｃ．交換流体を収容している交換可能流体コンテナと、
ｄ．前記交換可能流体コンテナと前記リザーバを接続する流体供給ラインと、
ｅ．前記リザーバから前記プリントヘッドまで延び、これらに接続された流体ラインと、
ｆ．前記流体ラインに配置されて流体を前記リザーバから前記プリントヘッドに供給するポンプと、
ｇ．前記プリントヘッドから前記リザーバまでの流体戻りラインと、
ｈ．前記流体供給ラインに配置された制御可能バルブと、
ｉ．前記制御可能バルブと通信して、前記交換可能流体コンテナから前記リザーバへの流体の制御された放出を提供するコントローラと、
ｊ．前記コントローラと通信して前記リザーバ内の前記流体のレベルを確認するセンサと、
ｋ．前記コントローラと通信するリーダ／ライタと、
ｌ．前記交換可能流体コンテナに関する情報を備え、前記リーダ／ライタによって読み取られるように適合されている、スマートカードと、
を備えている、プリントステーション。
【請求項２】
前記スマートカードが基板に埋め込まれたマイクロチップを備えており、前記マイクロチップが、フラッシュメモリと、ランダムアクセスメモリ（ＲＡＭ）と、マイクロプロセッサと、前記マイクロプロセッサに接続された通信リンクとを備えており、前記通信リンクはデータを非カードソースから伝送及び受信するように適合されている、請求項１に記載のプリントステーション。
【請求項３】
前記スマートカードが、
ａ．前記交換可能コンテナについての情報、
ｂ．前記流体の動作特性、
ｃ．前記流体の信頼性特性、
ｄ．前記コンテナ内の前記流体の物理的特性に関する仕様、
ｅ．前記コンテナ内の前記流体の容積測定値、
ｆ．バッチ有効期限期日、
ｇ．バッチ番号、
ｈ．製造工場識別情報、
ｉ．顧客名、
ｊ．顧客住所、
ｋ．印刷された量に基づいた課金の認可、
ｌ．規定された時間期間の間に前記システムがより高速に動作することを可能にする性能パラメータ、
ｍ．プリントヘッド情報、及び
ｎ．それらの組み合わせ、
を含む情報を備えている、請求項１に記載のプリントステーション。
【手続補正書】
【提出日】平成20年5月2日(2008.5.2)
【手続補正１】
【補正対象書類名】特許請求の範囲
【補正対象項目名】請求項４
【補正方法】変更
【補正の内容】
【請求項４】
前記バリア構造が前記多層バリアシートである、請求項１又は２のバリアパッケージ。